(57)【要約】【課題】メタメリズムの問題に対応することができる画像処理装置を提供する。【解決手段】操作パネル３００を用いて設定された原稿種類に応じて、第１の画像データ変換手段１１２における色補正定数の切換え処理を行う。これにより、人間が見て同じ原稿は同じ色味の共通色空間である第１の色空間系の画像データに補正することができるので、メタメリズムの問題に対応することができる。また、記憶部１１８に蓄積した第１の色空間系の画像データを複数のアプリケーションで再利用したり、記憶部１１８に蓄積した第１の色空間系の画像データを他の装置に転送して利用したりする場合に、第２の画像データ変換手段１２０で原稿を考慮した補正をすることなく記憶部１１８に蓄積した第１の色空間系の画像データを再利用することができるので、画像データ以外の情報が無くとも高画質な処理を行うことができる。【選択図】        図１
2007081747.tif 000002
【特許請求の範囲】
【請求項１】
原稿画像を読み取る画像読取手段と、
この画像読取手段により読み取った画像データを共通色空間である第１の色空間系の画像データに変換する第１の画像データ変換手段と、
この第１の画像データ変換手段により変換された前記第１の色空間系の画像データを記憶部に蓄積する画像蓄積手段と、
この画像蓄積手段により前記記憶部に蓄積されている前記第１の色空間系の画像データを画像出力先に応じた第２の色空間系の画像データへ変換する第２の画像データ変換手段と、
前記画像読取手段により読み取られる前記原稿の種類の設定を受け付ける原稿種類設定手段と、
この原稿種類設定手段により設定された前記原稿種類に応じて、前記第１の画像データ変換手段における色補正定数の切換え処理を行う第１の色補正定数切換手段と、
を備えることを特徴とする画像処理装置。
【請求項２】
前記第１の色補正定数切換手段は、前記原稿種類設定手段により設定された前記原稿種類に応じて前記第１の画像データ変換手段における色補正処理に係る色変換パラメータを切り換える、
ことを特徴とする請求項１記載の画像処理装置。
【請求項３】
前記第１の色補正定数切換手段は、前記原稿種類設定手段により設定された前記原稿種類に応じて前記第１の画像データ変換手段におけるフィルタ処理に係るフィルタパラメータを切り換える、
ことを特徴とする請求項１記載の画像処理装置。
【請求項４】
前記画像蓄積手段は、前記原稿種類設定手段により設定された前記原稿種類を、当該原稿種類に応じて色補正定数の切換え処理を行って前記第１の画像データ変換手段により変換された前記第１の色空間系の画像データに関連付けて前記記憶部に蓄積する、
ことを特徴とする請求項１記載の画像処理装置。
【請求項５】
前記記憶部に前記第１の色空間系の画像データに関連付けて蓄積した前記原稿種類に応じて、前記第２の画像データ変換手段における色補正定数の切換え処理を行う第２の色補正定数切換手段を更に備える、
ことを特徴とする請求項４記載の画像処理装置。
【請求項６】
前記第２の色補正定数切換手段は、前記原稿種類に応じて前記第２の画像データ変換手段における色補正処理に係る色変換パラメータを切り換える、
ことを特徴とする請求項５記載の画像処理装置。
【請求項７】
前記第２の色補正定数切換手段は、前記原稿種類に応じて前記第２の画像データ変換手段におけるフィルタ処理に係るフィルタパラメータを切り換える、
ことを特徴とする請求項５記載の画像処理装置。
【請求項８】
前記第２の色補正定数切換手段は、前記原稿種類に応じて前記第２の画像データ変換手段における中間調処理に係る中間調処理パラメータまたは中間調処理方式を切り換える、
ことを特徴とする請求項５記載の画像処理装置。
【発明の詳細な説明】
【技術分野】
【０００１】
本発明は、デジタルカラー複合機などの画像処理装置に関する。
【背景技術】
【０００２】
近年、複写機においてはネットワーク化が進み、複写機が持つ機能をネットワーク接続した他の端末から利用することが可能になってきている。例えば、デジタルカラー複合機にネットワーク接続されたコンピュータ等の他の利用端末へ、複合機へ入力された画像データ（例えば、スキャナ部で原稿から読み取った画像データ）を配信する機能が提案され、徐々に活用され始めてきている。
【０００３】
この配信機能を使用する場合に、スキャン画像データを配信する例では、複合機側或いは配信先であるコンピュータ端末から各種の処理条件を設定し、設定された処理条件に従いスキャナを動作させ、読み取った原稿画像データに変換等所定の処理を施し、配信先に転送するという動作を行う。
【０００４】
この配信スキャナ機能を利用する際に、処理条件の設定に従って行われる画像読み取り・画像処理等に関する従来例として、特許文献１を示すことができる。
【０００５】
特許文献１には、複写機等の画像形成装置において、プリント・サーバやスキャン画像のサーバとして、機能の拡張を図るために、汎用コンピュータシステムのアーキテクチャをベースにした拡張ボックスを装備させたシステムが提案されている。ここでは、スキャン画像を拡張ボックス内のハードディスク装置に蓄積し、そこに蓄積された画像ファイルをネットワークに接続されたコンピュータシステムで共有し、その利用を各サーバ機能により実現できることが示されている。
【０００６】
また、特許文献１には、スキャン・ボックス機能（スキャン画像をクライアントコンピュータへ配信する機能の一つ）を利用する場合のスキャン画像の処理について示されている。ここでは、操作入力により設定された処理条件に従って、原稿の読み取り、スキャン原稿画像の処理を行うとしているが、スキャン・ボックス機能は、印刷出力を必ずしも予定していない場合に用いることから、印刷出力に必要になるＹＭＣＫ系のデータフォーマットを生成せずに、つまり、スキャン画像のＲＧＢ系からＹＭＣＫ系への色座標変換や階調補正、画像データの圧縮処理などは省略し、スキャン画像処理後のＲＧＢ系データをスキャン・ボックスに蓄積している。その後、ネットワークのクライアントコンピュータは、スキャン・ボックスから、画像データを蓄積時のＲＧＢ系のデータのまま取り出し、自身が持つ保存先であるローカル・ディスク等に転送している。クライアントコンピュータでは、転送されてきたＲＧＢ系のデータに基づいて、モニタ・ディスプレイでスキャン画像を閲覧することができるようにする、としている。
【０００７】
このように、従来の配信スキャナ機能では、特許文献１にも見られるように、配信先のコンピュータ端末ではＲＧＢ系のデータ形式の画像データを利用するという前提において、スキャン画像のＲＧＢ系のデータのままハードディスクに蓄積し、蓄積したデータを配信する際に蓄積データに対して画像フォーマットを変換することを意図したものはない。従って、異なる画像フォーマット条件で蓄積データの配信要求をしてくるクライアントに対して、蓄積データのフォーマットを変換し、その要求を実現することが出来ないという問題があった。また、配信機能を持つ画像処理装置が複写機のような画像形成部を備えた装置である場合、入力画像を蓄積する際に画像形成に都合のよい専用のデータフォーマットにより蓄積することにより、画像形成の生産性を上げることができるという利点があるが、特許文献１におけるようなＲＧＢ系のデータ形式では、この利点を生かすことができない。
【０００８】
したがって、近年においては、スキャン・ボックスに蓄積されたＲＧＢ系の画像データをＣＭＹＫデータへと変換してから複写機のような画像形成部を備えた装置に配信するような機能が望まれている。
【０００９】
そこで、特許文献２，３においては、ＲＧＢデータをＣＭＹＫデータへと変換するカラー画像処理装置（カラー画像処理方法）が提案されている。
【００１０】
【特許文献１】特開２０００−３３３０２６号公報
【特許文献２】特許第２６０２６８１号公報
【特許文献３】特許第２６２７７５３号公報
【発明の開示】
【発明が解決しようとする課題】
【００１１】
ところで、デジタルカラー複合機などの読み取りユニットにおける原稿読み取り時においては、原稿の種類（使用されている色材）が異なる色であっても、ある特定の光源下では同じ色に見えてしまう「条件等色（メタメリズム）」の問題が発生する。逆に、人間の目では同じ色に見えても原稿の色材の違いにより読み取りユニットの読み取り値が異なるといったことも生じる。
【００１２】
本発明は、上記に鑑みてなされたものであって、メタメリズムの問題に対応することができる画像処理装置を提供することを目的とする。
【課題を解決するための手段】
【００１３】
上述した課題を解決し、目的を達成するために、請求項１にかかる発明の画像処理装置は、原稿画像を読み取る画像読取手段と、この画像読取手段により読み取った画像データを共通色空間である第１の色空間系の画像データに変換する第１の画像データ変換手段と、この第１の画像データ変換手段により変換された前記第１の色空間系の画像データを記憶部に蓄積する画像蓄積手段と、この画像蓄積手段により前記記憶部に蓄積されている前記第１の色空間系の画像データを画像出力先に応じた第２の色空間系の画像データへ変換する第２の画像データ変換手段と、前記画像読取手段により読み取られる前記原稿の種類の設定を受け付ける原稿種類設定手段と、この原稿種類設定手段により設定された前記原稿種類に応じて、前記第１の画像データ変換手段における色補正定数の切換え処理を行う第１の色補正定数切換手段と、を備える。
【００１４】
また、請求項２にかかる発明は、請求項１記載の画像処理装置において、前記第１の色補正定数切換手段は、前記原稿種類設定手段により設定された前記原稿種類に応じて前記第１の画像データ変換手段における色補正処理に係る色変換パラメータを切り換える。
【００１５】
また、請求項３にかかる発明は、請求項１記載の画像処理装置において、前記第１の色補正定数切換手段は、前記原稿種類設定手段により設定された前記原稿種類に応じて前記第１の画像データ変換手段におけるフィルタ処理に係るフィルタパラメータを切り換える。
【００１６】
また、請求項４にかかる発明は、請求項１記載の画像処理装置において、前記画像蓄積手段は、前記原稿種類設定手段により設定された前記原稿種類を、当該原稿種類に応じて色補正定数の切換え処理を行って前記第１の画像データ変換手段により変換された前記第１の色空間系の画像データに関連付けて前記記憶部に蓄積する。
【００１７】
また、請求項５にかかる発明は、請求項４記載の画像処理装置において、前記記憶部に前記第１の色空間系の画像データに関連付けて蓄積した前記原稿種類に応じて、前記第２の画像データ変換手段における色補正定数の切換え処理を行う第２の色補正定数切換手段を更に備える。
【００１８】
また、請求項６にかかる発明は、請求項５記載の画像処理装置において、前記第２の色補正定数切換手段は、前記原稿種類に応じて前記第２の画像データ変換手段における色補正処理に係る色変換パラメータを切り換える。
【００１９】
また、請求項７にかかる発明は、請求項５記載の画像処理装置において、前記第２の色補正定数切換手段は、前記原稿種類に応じて前記第２の画像データ変換手段におけるフィルタ処理に係るフィルタパラメータを切り換える。
【００２０】
また、請求項８にかかる発明は、請求項５記載の画像処理装置において、前記第２の色補正定数切換手段は、前記原稿種類に応じて前記第２の画像データ変換手段における中間調処理に係る中間調処理パラメータまたは中間調処理方式を切り換える。
【発明の効果】
【００２１】
請求項１にかかる発明によれば、原稿種類設定手段により設定された原稿種類に応じて、第１の画像データ変換手段における色補正定数の切換え処理を行うことにより、人間が見て同じ原稿は同じ色味の共通色空間である第１の色空間系の画像データに補正することができるので、メタメリズムの問題に対応することができる。また、記憶部に蓄積した第１の色空間系の画像データを複数のアプリケーションで再利用したり、記憶部に蓄積した第１の色空間系の画像データを他の装置に転送して利用したりする場合に、第２の画像データ変換手段で原稿を考慮した補正をすることなく記憶部に蓄積した第１の色空間系の画像データを再利用することができるので、画像データ以外の情報が無くとも高画質な処理を行うことができる。
【００２２】
また、請求項２にかかる発明によれば、原稿種類設定手段により設定された原稿種類に応じて第１の画像データ変換手段における色補正処理に係る色変換パラメータを切り換えることにより、原稿の見た目の色と記憶部に蓄積する第１の色空間系の画像データの色を一致させることができる。また、記憶部に蓄積した第１の色空間系の画像データを複数のアプリケーションで再利用したり、記憶部に蓄積した第１の色空間系の画像データを他の装置に転送して利用したりする場合に、第２の画像データ変換手段の色変換パラメータを原稿種類によって切り換えたりせずとも良い色再現性を得ることができる。
【００２３】
また、請求項３にかかる発明によれば、原稿種類設定手段により設定された原稿種類に応じて第１の画像データ変換手段におけるフィルタ処理に係るフィルタパラメータを切り換えることにより、原稿が網点で構成されている印刷原稿に対しては網点を平滑化するので、網点構造のある印刷原稿でも網点構造のない印画紙原稿に対しても色変換が正確にできるので、見た目の色と蓄積する画像データの色をより一致させることができる。また、記憶部に蓄積した第１の色空間系の画像データを複数のアプリケーションで再利用したり、記憶部に蓄積した第１の色空間系の画像データを他の装置に転送して利用したりする場合に、第２の画像データ変換手段のフィルタパラメータを原稿種類によって切り換えたりせずとも良い解像力を得ることができる。
【００２４】
また、請求項４にかかる発明によれば、原稿種類設定手段により設定された原稿種類を、当該原稿種類に応じて色補正定数の切換え処理を行って第１の画像データ変換手段により変換された第１の色空間系の画像データに関連付けて記憶部に蓄積することにより、例えば印画紙原稿と印刷原稿とで仕上がりの状態を変化させた方が良いような場合に、記憶部に蓄積されている第１の色空間系の画像データに関連づけた原稿種類により適切な処理を行うことができる。
【００２５】
また、請求項５にかかる発明によれば、記憶部に第１の色空間系の画像データに関連付けて蓄積した原稿種類に応じて、第２の画像データ変換手段における色補正定数の切換え処理を行うことにより、例えば印画紙原稿と印刷原稿とで仕上がりの状態を変化させた方が良いような場合に、原稿種類に応じた第２の色空間系の画像データに補正することができる。
【００２６】
また、請求項６にかかる発明によれば、原稿種類に応じて第２の画像データ変換手段における色補正処理に係る色変換パラメータを切り換えることにより、原稿種類に応じて最適な色味に変えることができる。
【００２７】
また、請求項７にかかる発明によれば、原稿種類に応じて第２の画像データ変換手段におけるフィルタ処理に係るフィルタパラメータを切り換えることにより、原稿種類に応じて画像の解像力とモアレのバランスを適切に切り換えることができる。
【００２８】
また、請求項８にかかる発明によれば、原稿種類に応じて前記第２の画像データ変換手段における中間調処理に係る中間調処理パラメータまたは中間調処理方式を切り換えることにより、原稿種類に応じて滑らかさとモアレのバランスを適切に切り替えることができる。
【発明を実施するための最良の形態】
【００２９】
以下に添付図面を参照して、この発明にかかる画像処理装置の最良な実施の形態を詳細に説明する。
【００３０】
本発明の実施の一形態を図１ないし図７に基づいて説明する。本実施の形態は、画像処理装置として、コピー機能、ファクシミリ（ＦＡＸ）機能、プリンタ機能、および入力画像（読み取り原稿画像やプリンタ或いはＦＡＸ機能により入力された画像）を配信する機能、を複合したいわゆる複合機であるデジタルカラー複合機を適用した例を示す。
【００３１】
[１．デジタルカラー複合機１００の構成の説明]
図１は、本実施の形態にかかるデジタルカラー複合機１００のシステム構成をコピー時の画像データの流れに沿って示すブロック図である。図１に示すデジタルカラー複合機１００は、マイクロコンピュータ構成のメインコントローラ１１７を備え、メインコントローラ１１７がデジタルカラー複合機１００の全体を集中的に制御する。また、デジタルカラー複合機１００は、エンジン部１０１とプリンタコントローラ部１０２とに大別される。
【００３２】
まず、図１を参照して、コピー時の画像データの流れに沿ってデジタルカラー複合機１００の各部の動作について説明する。
【００３３】
エンジン部１０１の全体は、エンジンコントローラ１１０により制御される。このエンジン部１０１において、読み取りユニット１１１は、原稿の画像を読み取る画像読取手段であり、原稿の画像はＲ，Ｇ，Ｂに色分解された画像データとして読み取られ、第１の画像データ変換手段であるスキャナ補正部１１２に送られる。スキャナ補正部１１２では読み取りユニット１１１の読み取った機器固有のＲＧＢ信号から機器間で共通な色空間上でのＲＧＢ信号に色の変換がなされる。ここで共通色空間に変換を行うのは、画像データの再利用を行うためである。
【００３４】
図２に示すように、スキャナ補正部１１２では、ＲＧＢ画像データに対して、スキャナγ補正部２０１でスキャナγ補正処理、フィルタ処理部２０２でフィルタ処理、色補正処理部２０３で色補正処理が行われる。より詳細には、スキャナγ補正部２０１は、ＲＧＢ各チャネル毎の入力８bit、出力８bitのＬＵＴ（Look Up Table）である。フィルタ処理部２０２は、５×５程度のマトリクスによる空間フィルタ処理である。色補正処理部２０２は、入力ＲＧＢから出力ＲＧＢへの３×３の行列による線形変換を用いる場合もあるし、３次元のＬＵＴを用いる場合もある。なお、これらの処理は、ユーザに選択された処理モードが反映される。この処理モードは、例えば図３に示すような画像処理装置１００の筐体外部に設けられた操作パネル３００からのユーザの入力により、メインコントローラ１１７を通じて設定される。ここで、ユーザが選択することができる処理モードは、カラー／モノクロモード、アプリケーションモード、画質モードや原稿種類モードである。具体的には、カラー／モノクロモードは、フルカラーモード、シングルカラーモード、白黒モードなどがあり、アプリケーションモードは、コピーモード、スキャナモード、ＦＡＸモード、配信モードなどがあり、画質モードは、文字モード、文字写真モード、写真モードなどがある。原稿種類モードは、印刷原稿モード、印画紙原稿モード、インクジェット原稿モードなどがある。また、原稿を濃くする、薄くするなどのノッチ情報などがある。
【００３５】
スキャナ補正部１１２で処理後の各８ｂｉｔのデータは、カラー・モノクロ多値データ固定長圧縮器１１３によって各色ｎｂｉｔ（ｎ≦８）のデータに変換される。この圧縮後の画像データは汎用バス１１４を介してプリンタコントローラ１１５に送られる。
【００３６】
プリンタコントローラ１１５は、画像データを記憶する半導体メモリ１１６を備えている。この半導体メモリ１１６には、メインコントローラ１１７の制御により、送られた画像データが蓄積される。また、記憶部であるハードディスク（ＨＤＤ）１１８には、この半導体メモリ１１６に蓄積された画像データ（第１の色空間系の画像データ）と、操作パネル３００から入力された処理モードの情報が蓄積される。これは、デジタルカラー複合機１００によるプリントアウト時に用紙がつまり、印字が正常に終了しなかった場合でも、再び原稿を読み直すのを避けるためであり、また、電子ソートを行うためである。近年はこれだけでなく、読み取った原稿を蓄積しておき、必要なときに再出力する機能も追加されている。すなわち、画像データは、一度半導体メモリ１１６に展開されハードディスク１１８に蓄積される。
【００３７】
画像データを出力する場合は、記憶部であるハードディスク１１８内の画像データは一度プリンタコントローラ１１５の半導体メモリ１１６に展開され、プリンタコントローラ１１５で各色８ｂｉｔのＲＧＢ画像データに変換された後、汎用バス１１４を介して第２の画像データ変換手段である画像補正装置１２０に送られる。このように、ハードディスク１１８に蓄積された画像データがエンジン部１０１に出力される前に一度半導体メモリ１１６に展開されるのは、ハードディスク１１８の書き込み速度と読み込み速度が一定でなく、不規則であるためである。
【００３８】
画像補正装置１２０は、対応するアプリケーション（ここでは、画像データを紙出力するプリンタアプリケーションおよび画像データを配信する配信アプリケーション）によって第１の画像補正装置１２０ａと第２の画像補正装置１２０ｂに分けられる。
【００３９】
ハードディスク１１８から読み出されたＲＧＢ画像データ（第１の色空間系の画像データ）は、第１の画像補正装置１２０ａによって画像出力部である作像ユニット１２２に応じたＣＭＹＫの色信号（第２の色空間系の画像データ）に変換される。この点について、以下に詳述する。
【００４０】
第１の画像補正装置１２０ａでは、図４に示すように、各色８ｂｉｔのＲＧＢ画像データに対して、変倍処理部４０１では変倍処理、フィルタ処理部４０２ではフィルタ処理、色補正処理部４０３で色補正処理、プリンタγ補正部４０４でプリンタγ補正処理、中間調処理部４０５で中間調処理が行われる。より詳細には、変倍処理部４０１は、既知技術である３次関数コンボリューション法などにより画像の拡大縮小を行う処理である。フィルタ処理部４０２は、５×５程度の空間フィルタにより画像のボケなどを補正したり、画質モードに応じた画像の強調を行うものである。色補正処理部４０３は、入力されたＲＧＢ画像データを標準的なＲＧＢ色空間から出力デバイスに合った色空間への変換、例えばＣＭＹＫなどへの変換を行う装置である。プリンタγ補正部４０４は、ＣＭＹＫの各色に対してプリンタγ補正を行う。中間調処理部４０５は、書き込み制御部１２１および作像ユニット１２２にあわせた中間調処理（誤差拡散法やディザ法などのように、紙に印字するときに低ビットの信号に変換する処理）を行い、作像に用いるデータとして次段に送り、転写紙に出力する。なお、これらの処理は、ユーザに選択された処理モード、すなわちハードディスク１１８に蓄積された処理モードが反映される。
【００４１】
なお、作像ユニット１２２の印刷方式は、電子写真方式のほか、インクジェット方式、昇華型熱転写方式、銀塩写真方式、直接感熱記録方式、溶融型熱転写方式など、さまざまな方式を用いることができる。
【００４２】
これまでの説明では、コピー用の画像処理が施されたＲＧＢ系の色空間で圧縮された画像データがハードディスク１１８に蓄積される場合について説明をした。ここで、ハードディスク１１８に蓄積される画像データはデジタルカラー複合機１００などでコピー画像として読み取られたある色空間系の画像データである。ある色空間とは、デバイスディペンデント（デバイスの種類（装置特性）に依存した）な色空間（Ｙｕｖ，ＣＭＹ）であってもよいし、デバイスインディペンデント（デバイスの種類（装置特性）に依存しない）な色空間（ｓＲＧＢ）であってもよい。また、これらのある色空間信号をネットワークを介して他の装置へ送信する際には、他の装置との間でそのまま相互利用できる同じ色空間に補正される。ある色空間とは、例えば、標準的なｓＲＧＢ空間やＬａｂ空間、また、異なる機器間でも共有できる専用の色空間系などである。
【００４３】
次に、図５を参照して、ハードディスク１１８に蓄積されたデータを、ネットワークを介して外部ＰＣ１２６へ配信する時の画像データの流れに沿ってデジタルカラー複合機１００の各部の動作について説明する。
【００４４】
ネットワークインターフェースコントローラ（ＮＩＣ）１２４は、デジタルカラー複合機１００を外部ＰＣ１２６が接続されているＬＡＮなどのネットワークに接続するためのインターフェースである。
【００４５】
ハードディスク１１８には、前述のように、スキャナ補正が施された、すなわちコピー用の画像処理が施されたＲＧＢ画像データ（第１の色空間系の画像データ）と、操作パネル３００から入力された処理モードの情報が蓄積されている。この処理モードは、例えば、図３に示すようなデジタルカラー複合機１００の筐体外部に設けられた操作パネル３００からのユーザの入力により設定される。ここで、ユーザが選択することができる処理モードは、カラー／モノクロモード、アプリケーションモード、画質モードや原稿種類モードである。具体的には、カラー／モノクロモードは、フルカラーモード、シングルカラーモード、白黒モードなどがあり、アプリケーションモードは、コピーモード、スキャナモード、ＦＡＸモード、配信モードなどがあり、画質モードは、文字モード、文字写真モード、写真モードなどがある。原稿種類モードは、印刷原稿モード、印画紙原稿モード、インクジェット原稿モードなどがある。また、原稿を濃くする、薄くするなどのノッチ情報などがある。
【００４６】
ハードディスク１１８に蓄積された画像データは、一度プリンタコントローラ１１５の半導体メモリ１１６に展開され、次に汎用バス１１４を介して第２の画像補正装置１２０ｂへ送られる。その際、処理モードの情報も一緒に第２の画像補正装置１２０ｂへ送られる。
【００４７】
第２の画像補正装置１２０ｂは、前記処理モードによってモードに適した画像処理を施す。また、配信するための適切な画像フォーマット処理を施して、ＮＩＣ１２４を通して外部ＰＣ１２６へ配信する。例えば、第２の画像補正装置１２０ｂでは、図６に示すように、ＲＧＢ画像データに対して、変倍処理部５０１で変倍処理、空間フィルタ処理部５０２で空間フィルタ処理、色補正処理部５０３で色補正処理が行われる。より詳細には、変倍処理部５０１は、既知技術である３次関数コンボリューション法などにより画像の拡大縮小を行う。空間フィルタ処理部５０２は、５×５程度の空間フィルタにより画像のボケなどを補正したり、画質モードに応じた画像の強調を行う。色補正処理部５０３は、標準的なＲＧＢ色空間から出力デバイスに合った色空間への変換、例えばｓＲＧＢなどへの変換を行う。なお、これらの処理は、ユーザに選択された処理モード、すなわちハードディスク１１８に蓄積された処理モードが反映される。また、外部ＰＣ１２６からも画像処理装置１００に対して取得を希望する画像データの処理モードを指定することができる。この場合は、外部ＰＣ１２６から送られた処理モードをメインコントローラ１１７が検出し、これを第２の画像補正装置１２０ｂへ伝え、第２の画像補正装置１２０ｂにおいて外部ＰＣ１２６が希望する処理モードに適応するように画像データの形式を変換する。
【００４８】
第２の画像補正装置１２０ｂは、このようにして配信するための適切な画像フォーマット処理を施して、ＮＩＣ１２４を通して外部ＰＣ１２６へ配信する。
【００４９】
次に、メインコントローラ１１７について簡単に説明する。メインコントローラ１１７は、各部を集中的に制御するＣＰＵ（Central Processing Unit）、ＣＰＵが実行する起動プログラム等の固定データが書き込まれている記憶媒体であるＲＯＭ（Read Only Memory）、ワークデータ等の可変データを更新自在に書き込むＲＡＭ（Random Access Memory）からなるマイクロコンピュータ構成とされている。また、メインコントローラ１１７は不揮発性ＲＯＭを備えており、不揮発性ＲＯＭにはＣＰＵが実行するアプリケーションプログラムが記憶されている。すなわち、ユーザが電源を投入するとＣＰＵがＲＯＭ内の起動プログラムを起動させ、不揮発性ＲＯＭよりアプリケーションプログラムをＲＡＭに読み込み、このアプリケーションプログラムを起動させる。これにより、ＣＰＵがアプリケーションプログラムに従って動作することで、メインコントローラ１１７は、デジタルカラー複合機１００の全体の動作を制御する。なお、アプリケーションプログラムは、例えばＮＩＣ１２４を通して外部から取り込まれ、不揮発性ＲＯＭにインストールされても良い。
【００５０】
[２．デジタルカラー複合機１００が備える特徴的な機能の説明]
次に、上述したようなデジタルカラー複合機１００が備える各種機能のうち、メインコントローラ１１７のＣＰＵがアプリケーションプログラムに従って動作することにより実現される特徴的な機能について説明する。
【００５１】
上述したように、デジタルカラー複合機１００は、スキャン画像のＲＧＢ系のデータのままハードディスク１１８に蓄積し、蓄積したデータを印刷や配信する際に蓄積データに対して画像フォーマットを変換するようにしている。
【００５２】
ところで、読み取りユニット１１１における原稿読み取り時においては、原稿の種類（使用されている色材）が異なる色であっても、ある特定の光源下では同じ色に見えてしまう「条件等色（メタメリズム）」の問題が発生する。逆に、人間の目では同じ色に見えても原稿の色材の違いにより読み取りユニット１１１の読み取り値が異なるといったことも生じる。
【００５３】
そこで、本実施の形態のデジタルカラー複合機１００においては、このようなメタメリズムを吸収すべく、印刷原稿、印画紙原稿、インクジェット原稿等の原稿の種類に応じて、色補正の定数を切換え、メタメリズムの問題に対応するようにしている。より詳細には、例えば図７に示すような画像処理装置１００の筐体外部に設けられた操作パネル３００に、印刷原稿、印画紙原稿、インクジェット原稿等の原稿の種類を指定するための原稿種指定キー３０１を表示し、印刷原稿、印画紙原稿、インクジェット原稿等の原稿の種類を、ユーザの入力によりメインコントローラ１１７を通じて画像を蓄積する際に指定させるようにする。ここに、原稿種類設定手段が実現されている。
【００５４】
このようにして指定された原稿種類は、スキャナ補正部１１２と画像補正装置１２０（第１の画像補正装置１２０ａおよび第２の画像補正装置１２０ｂ）とに対してメインコントローラ１１７を通じて伝達されるとともに、読み取りユニット１１１から入力された画像データと対応してハードディスク１１８に蓄積される。
【００５５】
ここで、メインコントローラ１１７のＣＰＵがアプリケーションプログラムに従って動作することにより、スキャナ補正部１１２に対して実行される原稿種類に応じた色補正の定数の切換え処理（第１の色補正定数切換手段）について説明する。
【００５６】
スキャナγ補正部２０１においては、原稿の種類（使用されている色材）の違いによるグレーバランスの差を補正することにより、原稿の種類（使用されている色材）の色味を吸収することができる。ただし、全ての色について原稿と蓄積した画像を合わせることはできない。そのため、本実施の形態においては、スキャナγ変換後の色補正処理部２０３で原稿種類設定に応じて色変換パラメータを切り替えることにより、色味について補正するようにしている。これにより、原稿の見た目の色と蓄積する画像データの色が一致させることが可能になっている。また、ハードディスク１１８に蓄積された画像データを複数のアプリケーションで再利用したり、蓄積したデータを他の装置に転送して利用したりする場合にも、画像補正装置１２０の色補正処理部４０３，５０３の色変換パラメータを原稿種によって切り替えたりせずとも良い色再現性を得ることができる。
【００５７】
加えて、本実施の形態においては、原稿種類設定に応じてフィルタ処理部２０２のフィルタパラメータを切り替えている。このように原稿種類設定に応じてフィルタ処理部２０２のフィルタパラメータを切り替えるのは、以下の理由による。印刷原稿は、網点によって構成されている。インクジェット原稿も、出力されるプリンタの処理パターン（ディザや誤差拡散）によって構成されている。一方、印画紙原稿は、連続階調で構成されている。そのため、入力される画像が印刷原稿やインクジェット原稿のようにパターンを持っている場合は、平滑フィルタで網点やパターンを平滑化した方が正確な色変換を行うことができ、その結果、より原稿の種類によらず見た目の色と蓄積された画像のデータの色が一致するようになるからである。これにより、見た目の色と蓄積する画像データの色がより一致する。また、ハードディスク１１８に蓄積された画像データを再利用するときに、画像補正装置１２０のフィルタ処理部４０２，５０２のフィルタパラメータを原稿種によって切り替えたりせずとも良い解像力を得ることができる。
【００５８】
また、基本的に、画像データはハードディスク１１８に蓄積されるときに再利用性を考慮して共通な画像データに変換されるが、蓄積した原稿の種類によっては画像補正装置１２０（第１の画像補正装置１２０ａおよび第２の画像補正装置１２０ｂ）における色補正の定数の切換えを行うのが望ましい場合がある。このような場合には、上記画像データと対応してハードディスク１１８に蓄積されている原稿種情報がメインコントローラ１１７によって読み取られて、画像補正装置１２０（第１の画像補正装置１２０ａおよび第２の画像補正装置１２０ｂ）に対して適切な設定が行われ、原稿の種類に応じた処理が行われる（第２の色補正定数切換手段）。
【００５９】
第１には、原稿種情報に基づいて画像補正装置１２０の色補正処理部４０３，５０３の色変換パラメータを切り替える。すなわち、画像データと対応してハードディスク１１８に蓄積されている原稿種情報がメインコントローラ１１７によって読み取られて、その情報に基づいて色補正処理部４０３，５０３のパラメータが変えられる。これは、印刷原稿の場合は多くがオフィス文書などであるため、より鮮やかや色再現を求められるのに対して、印画紙原稿は写真画像であるから原稿に忠実な色再現が求められるからである。これにより、原稿種に応じて最適な色味に変えることができる。
【００６０】
第２には、原稿種情報に基づいて画像補正装置１２０のフィルタ処理部４０２，５０２のフィルタパラメータを切り替える。すなわち、画像データと対応してハードディスク１１８に蓄積されている原稿種情報がメインコントローラ１１７によって読み取られて、その情報に基づいてフィルタ処理部４０２，５０２のパラメータが変えられる。このように原稿種情報に応じてフィルタ処理部４０２，５０２のフィルタパラメータを切り替えるのは、以下の理由による。
【００６１】
ハードディスク１１８に蓄積されている画像が印画紙の画像である場合、元の画像には網点の構造はないので蓄積した画像にも網点構造は見られない。ハードディスク１１８に蓄積されている画像が印刷原稿の画像である場合、元の画像には網点の構造がある。そのため、蓄積した画像には若干網点の成分が残ってしまうことが考えられる。ここでフィルタ処理部４０２，５０２において両者の場合に同じ処理を行ってしまうと、印刷原稿の場合にモアレが発生したり、印画紙原稿の場合の解像力が不足したりする。すなわち、蓄積した画像が印画紙かそうで無いかによってフィルタ処理部４０２，５０２で適切な処理を行うことで、原稿種に応じた出力画像が得られることになる。これにより、原稿種に応じて画像の解像力とモアレのバランスを適切に切り替えることができる。
【００６２】
第３には、原稿種情報に基づいて画像補正装置１２０の中間調処理部４０５の中間調処理パラメータや中間調処理方式を切り替える。すなわち、画像データと対応してハードディスク１１８に蓄積されている原稿種情報がメインコントローラ１１７によって読み取られて、その情報に基づいて中間調処理部４０５の中の中間調処理のパラメータや中間調処理方式が変えられる。このように原稿種情報に応じて中間調処理部４０５の中の中間調処理のパラメータや中間調処理方式を切り替えるのは、以下の理由による。
【００６３】
ハードディスク１１８に蓄積されている画像が印画紙の場合、元の画像には網点の構造はないので蓄積した画像にも網点構造は見られない。ハードディスク１１８に蓄積されている画像が印刷原稿の場合、元の画像には網点の構造がある。そのため、蓄積した画像には若干網点の成分が残ってしまうことが考えられる。すなわち、印刷原稿に対しては中間調処理方式としては周期性のない誤差拡散処理が望ましい。一方、印画紙原稿に対しては周期性のあるディザ処理を行ってもモアレの心配はなく、滑らかな階調再現が可能となる。これにより、原稿種に応じて滑らかさとモアレのバランスを適切に切り替えることができる。
【００６４】
このように本実施の形態によれば、設定された原稿種類に応じて、スキャナ補正部１１２における色補正定数の切換え処理を行うことにより、人間が見て同じ原稿は同じ色味の共通色空間である第１の色空間系の画像データに補正することができるので、メタメリズムの問題に対応することができる。また、ハードディスク１１８に蓄積した第１の色空間系の画像データを複数のアプリケーションで再利用したり、ハードディスク１１８に蓄積した第１の色空間系の画像データを他の装置に転送して利用したりする場合に、画像補正装置１２０で原稿を考慮した補正をすることなくハードディスク１１８に蓄積した第１の色空間系の画像データを再利用することができるので、画像データ以外の情報が無くとも高画質な処理を行うことができる。
【図面の簡単な説明】
【００６５】
【図１】本発明の実施の一形態にかかるデジタルカラー複合機のシステム構成をコピー時の画像データの流れに沿って示すブロック図である。
【図２】スキャナ補正部の構成を示す処理ブロック図である。
【図３】操作パネルを示す平面図である。
【図４】第１の画像補正装置の構成を示す処理ブロック図である。
【図５】デジタルカラー複合機のシステム構成をデータ配信時の画像データの流れに沿って示すブロック図である。
【図６】第２の画像補正装置の構成を示す処理ブロック図である。
【図７】操作パネルに原稿種指定キーを表示した状態を示す平面図である。
【符号の説明】
【００６６】
１００    画像処理装置
１１１    画像読取手段
１１２    第１の画像データ変換手段
１１８    記憶部
１２０    第２の画像データ変換手段
【図１】
2007081747.tif 000003
【図２】
2007081747.tif 000004
【図３】
2007081747.tif 000005
【図４】
2007081747.tif 000006
【図５】
2007081747.tif 000007
【図６】
2007081747.tif 000008
【図７】
2007081747.tif 000009